(57)【要約】【課題】  エレベータ利用者に対して、乗りかご内のペットの存在を確実に報知することができるエレベータ及びエレベータシステムを提供する。【解決手段】  エレベータにおいて、ペット情報発信部１から発信されるペット情報を受信する受信部２と、エレベータ乗り場に設けられる報知部４と、受信部２において受信されたペット情報に基づきエレベータの乗りかご内のペットの存在を報知部２から報知する報知手段とを備えている。【選択図】    図１
2006264926.tif 000002
【特許請求の範囲】
【請求項１】
ペット情報を受信する受信部と、
エレベータ乗り場に設けられる報知部と、
前記受信部において受信された前記ペット情報に基づきエレベータの乗りかご内のペットの存在を前記報知部から報知する報知手段と、
を備えたことを特徴とするエレベータ。
【請求項２】
前記受信部は、前記乗りかご内又は前記エレベータ乗り場に設けられていることを特徴とする請求項１記載のエレベータ。
【請求項３】
前記受信部において受信されたペット情報に対応する前記乗りかごの行先階床情報を記憶する行先階床情報記憶部と、
前記乗りかごが前記行先階床情報記憶部に記憶された行先階床情報の行先階床に到着すると前記報知部からの前記ペットの存在の報知を終了させる報知終了手段と、
を更に備えたことを特徴とする請求項１又は２記載のエレベータ。
【請求項４】
前記ペット情報には、前記ペットを識別するＩＤ情報が含まれていることを特徴とする請求項１ないし３のいずれか一記載のエレベータ。
【請求項５】
前記受信部が受信するペット情報に含まれるＩＤ情報を記憶するＩＤ情報記憶部と、
前記行先階床情報を前記ＩＤ情報と関連付けて記憶する第２行先階床情報記憶部と、
前記乗りかごが前記行先階床に到着すると前記第２行先階床情報記憶部に記憶されている前記行先階床情報のうちの到着した行先階床の前記行先階床情報を削除する行先階床情報削除手段と、
前記第２行先階床情報記憶部に記憶された全ての行先階床情報が削除されると前記報知部からの報知を終了させる第２報知終了手段と、
を更に備えたことを特徴とする請求項４記載のエレベータ。
【請求項６】
前記ＩＤ情報と自動登録行先階床情報とを関連付けて記憶する行先階床自動登録用記憶部と、
前記受信部において受信された前記ペット情報に含まれる前記ＩＤ情報に関連付けて前記行先階床自動登録用記憶部に記憶されている前記自動登録行先階床情報の行先階床を前記乗りかごの行先階床として自動的に登録する自動登録手段と、
を更に備えたことを特徴とする請求項４又は５記載のエレベータ。
【請求項７】
前記報知部は、ディスプレイ装置であることを特徴とする請求項１ないし６のいずれか一記載のエレベータ。
【請求項８】
前記ＩＤ情報と表示情報とを関連付けて記憶する表示情報記憶部と、
前記受信部において受信された前記ペット情報に含まれる前記ＩＤ情報に関連付けて前記表示情報記憶部に記憶されている前記表示情報を前記ディスプレイ装置に表示させる表示手段と、
を更に備えたことを特徴とする請求項７記載のエレベータ。
【請求項９】
ペットの相関関係用情報と前記ＩＤ情報とを関連付けて記憶する相関関係用記憶部と、
前記受信部において２以上の前記ペット情報が受信されると、受信された前記ペット情報に含まれる前記ＩＤ情報と関連付けて前記相関関係用記憶部に記憶されている前記相関関係用情報に基づいてペット間の相関関係を取得する相関関係取得手段と、
取得した相関関係を前記ディスプレイ装置に表示させる第２表示手段と、
を更に備えたことを特徴とする請求項７又は８記載のエレベータ。
【請求項１０】
ペット情報を有しこのペット情報を発信するペット情報発信部と、
前記ペット情報発信部から発信される前記ペット情報を受信する受信部と、
エレベータ乗り場に設けられる報知部と、
前記受信部において受信されたペット情報に基づきエレベータの乗りかご内のペットの存在を前記報知部から報知する報知手段と、
を備えたことを特徴とするエレベータシステム。
【発明の詳細な説明】
【技術分野】
【０００１】
本発明は、エレベータ及びエレベータシステムに関し、特に、犬や猫などのペットを同伴して乗ることが許可されているエレベータ及びこのエレベータを含むエレベータシステムに関する。
【背景技術】
【０００２】
近年、犬や猫などのペット飼育を許可する共同住宅が増加し、このような共同住宅では、ペットを同伴してエレベータを利用する機会が増えている。ペットを同伴してエレベータを利用する機会が増える場合、乗りかご内でペット同士が鉢合わせしないようにする工夫、又は、ペットの嫌いなエレベータ利用者が乗りかご内でペットに出合わないようにする工夫が必要となる。このような観点から、下記特許文献１には、乗りかご内にペットが乗っていることを報知する機能を備えたエレベータが提案されている。
【０００３】
このエレベータは、乗りかご内に設けられたペット同乗表示釦と、各階床のエレベータ乗り場に設けられたペット同乗表示ランプとを備えている。
【０００４】
このエレベータによれば、ペットを同伴して乗りかごに乗り込んだエレベータ利用者が、乗りかご内に設けられているペット同乗表示用釦を押し、ついで、乗りかご内に設けられている行先階床釦を押して行先階床を登録することにより、各階床のエレベータ乗り場に設けられているペット同乗表示ランプが点灯する。このペット同乗表示ランプが点灯することにより、各階床のエレベータ乗り場に居るエレベータ利用者に対して、乗りかご内にペットが乗っていることが報知される。なお、乗りかごが登録された行先階床に到達することにより、各階床のエレベータ乗り場に設けられているペット同乗表示ランプが消灯し、乗りかご内にペットが乗っていないことが報知される。
【０００５】
これにより、エレベータ乗り場に居るエレベータ利用者は、ペット同乗表示ランプの点灯状態又は消灯状態を見ることにより、現在走行している乗りかご内にペットが乗っているか乗っていないかを知ることができる。そして、ペットを同伴するエレベータ利用者は、ペット同乗表示ランプが点灯しているときには乗り場呼び釦を押さないことで乗りかごへの乗り込みを見送ることができ、乗りかご内あるいはエレベータ乗り場においてペット同士の鉢合わせを防止することができる。また、ペットの嫌いなエレベータ利用者にとっては、ペット同乗表示ランプが点灯しているときには乗り場呼び釦を押さないことで乗りかごへの乗り込みを見送ることができ、乗りかご内あるいはエレベータ乗り場においてペットに出合うことを防止することができる。
【特許文献１】特開２００１−３２２７７５号公報
【発明の開示】
【発明が解決しようとする課題】
【０００６】
しかしながら、前述のエレベータにおいては、以下の点について配慮がなされていない。
【０００７】
ペットを同伴して乗りかごに乗り込んだエレベータ利用者が、ペット同乗表示釦を押すことを忘れ、行先階床釦のみを押すことがある。このような場合には、各階床のエレベータ乗り場に設けられているペット同乗表示ランプは点灯されない。このため、エレベータ利用者は乗りかご内にペットが乗っていることを知らずに乗りかごに乗り込むことになり、乗りかご内やエレベータ乗り場でペット同士が鉢合わせすることや、ペットの嫌いなエレベータ利用者が乗りかご内やエレベータ乗り場でペットに出合うということが発生する。
【０００８】
本発明は上記課題を解決するためになされたものであり、その目的は、エレベータ利用者に対して、乗りかご内のペットの存在を確実に報知することができるエレベータ及びエレベータシステムを提供することである。
【課題を解決するための手段】
【０００９】
本発明の実施の形態に係る第１の特徴は、エレベータにおいて、ペット情報を受信する受信部と、エレベータ乗り場に設けられる報知部と、前記受信部において受信された前記ペット情報に基づきエレベータの乗りかご内のペットの存在を前記報知部から報知する報知手段とを備える。
【００１０】
本発明の実施の形態に係る第２の特徴は、エレベータシステムにおいて、ペット情報を有しこのペット情報を発信するペット情報発信部と、ペット情報発信部から発信されるペット情報を受信する受信部と、エレベータ乗り場に設けられる報知部と、受信部において受信されたペット情報に基づきエレベータの乗りかご内のペットの存在を報知部から報知する報知手段とを備える。
【発明の効果】
【００１１】
本発明によれば、エレベータ利用者に対し、乗りかご内のペットの存在を確実に報知することができる。
【発明を実施するための最良の形態】
【００１２】
以下、本発明の実施の形態を図面を用いて説明する。
【００１３】
（第１の実施の形態）
本発明の第１の実施の形態に係るエレベータシステムは、図１に示すように、ペット情報発信部の一例であるＩＣタグ１と、ＩＣタグ１から発信されるペット情報を受信する受信部２と、各階床のエレベータ乗り場３に設けられる報知部の一例であるペット灯４と、エレベータ制御部５とを備えている。さらに、このエレベータシステムにおけるエレベータは、乗りかご６内に取付けられたかご内操作盤７を備え、かご内操作盤７には行先階床を登録するための行先階床釦８が設けられている。乗りかご６は、エレベータ昇降路（図示せず）内に昇降自在に配置され、乗りかご６を吊り下げているロープを巻き上げる巻上機（図示せず）がエレベータ昇降路の上部に設けられた機械室（図示せず）内に設置されている。
【００１４】
ＩＣタグ１は、各種の情報が記録されたＩＣチップと、ＩＣチップの情報を送信するためのアンテナとを有している。ＩＣチップには、少なくとも、ペットが存在する旨の情報が記録されており、ＩＣタグ１から発信されるペット情報を受信部２で受信することにより、ペットの存在が検知される。このように、ＩＣタグ１はペットの存在を検知するために用いられるものであり、ペットの首輪９、ペットの引き紐、ペットの衣類に取付けられていることが望ましく、あるいは、ペットの飼い主が携帯するカードやキーホルダに取付けられていてもよい。また、ペットの皮膚下に外科的手段によりＩＣタグ１を埋め込んでもよい。
【００１５】
また、ＩＣタグ１から発信されるペット情報は、数センチメートル〜数メートルの近距離範囲内において受信可能であればよく、このような近距離範囲内で通信する方式としては、ＩＣタグ１を用いる方式に代えて、ブルートゥース（Ｂluetooth）や赤外線通信を利用してもよい。
【００１６】
受信部２は、エレベータの乗りかご６内と、各階床のエレベータ乗り場３とのいずれか一方、又は、両方に設けられていればよい。ここでは、説明の簡単化を図るため、受信部２が乗りかご６内にのみ設置されている場合を例に挙げて説明する。受信部２は、図２に示すように、乗りかご６内のかご内操作盤７の下方に配置されている。
【００１７】
受信部２は、ＩＣタグ１から発信されるペット情報を受信し、ＩＣタグ１のＩＣチップに記録されている情報を読取る。ＩＣチップに記録されている情報を受信部２により読取る技術は周知であるので詳しい説明は割愛するが、その一例としては、以下の方式が知られている。受信部２のアンテナから電波が発信され、発信された電波がＩＣタグ１のアンテナで受信されることによりアンテナの周囲に磁界が発生し、この磁界が発生することによりＩＣタグ１に電力が発生する。ＩＣタグ１に電力が発生することにより、ＩＣチップに記録されているペット情報を含む電波がＩＣタグ１から発信され、この電波が受信部２により読取られる。これにより、ＩＣタグ１から発信された電波（ペット情報）が受信部２により受信され、ＩＣチップに記録されている情報が受信部２により読取られる。
【００１８】
ペット灯４は、図３に示すように、各階床のエレベータ乗り場３におけるエレベータ入口の上部に設けられている。ペット灯４は、アクリルなどの透明な板の上に「ペット」の文字が描かれ、内蔵したＬＥＤやランプにより照明される。
【００１９】
エレベータ制御部５は、ＣＰＵ、ＲＯＭ、ＲＡＭ等を備え、受信部２、ペット灯４、かご内操作盤７等が接続されている。エレベータ制御部５は、エレベータ制御部５に入力される各種の情報に基づいて各種の処理を実行する部分である。エレベータ制御部５において実行される処理の一つとして、報知手段が設けられている。
【００２０】
報知手段は、ＩＣタグ１から発信されるペット情報を受信部２が受信することにより各階床のエレベータ乗り場３に設けられているペット灯４を点灯させ、乗りかご６内へのペットの乗り込みを報知する。この報知手段は、エレベータ制御部５のＲＯＭに格納されているプログラムに基づいて実行される。
【００２１】
このような構成において、首輪９にＩＣタグ１を取付けたペットがエレベータ利用者に同伴されて乗りかご６内に乗り込むと、ＩＣタグ１から発信されたペット情報が受信部２において受信され、乗りかご６内へのペットの乗り込みが検知される。したがって、乗りかご６内にペットが乗り込んだことを確実に検知することができる。ペットを同伴したエレベータ利用者がかご内操作盤７の行先階床釦８を押すことにより行先階床が登録され、ペットが乗り込んだ乗りかご６は登録された行先階床に向けて走行する。この行先階床の登録は、エレベータ制御部５のＲＡＭ内に設けられた登録領域に行われる。
【００２２】
なお、受信部２が各階床のエレベータ乗り場３に設けられている場合には、ＩＣタグ１を付けたペットがエレベータ利用者に同伴されてエレベータ乗り場３に来た場合に、ＩＣタグ１から発信されるペット情報が受信部２に受信され、その受信結果に基づいて各階床（但し、ＩＣタグ１からのペット情報を受信した階床は除く）のエレベータ乗り場３に設けられているペット灯４が点灯される。
【００２３】
乗りかご６内へのペットの乗り込みが検知されると、その検知結果に基づいて各階床のエレベータ乗り場３に設けられているペット灯４が報知手段により点灯され、各階床のエレベータ乗り場３に居るエレベータ利用者に対し、現在走行中の乗りかご６内にペットが乗っていることが報知される。しかも、このペット灯４を点灯させることによる報知は、ペットを同伴して乗りかご６内に乗り込んだエレベータ利用者が何の操作を行わなくても自動的に行われる。このため、ペットを同伴してエレベータ利用者がペット灯４を点灯させるために必要な操作を忘れ、それが原因となってペット灯４が点灯されないという事態が発生しない。
【００２４】
ペットを同伴して乗りかご６に乗り込もうとするエレベータ利用者は、ペット灯４が点灯していることを見た場合には、現在走行している乗りかご６内への乗り込みを見送ることができ、それにより、乗りかご６内あるいはエレベータ乗り場３におけるペット同士の鉢合わせを防止することができる。また、ペットが嫌いなエレベータ利用者は、ペット灯４が点灯していることを見た場合には、現在走行している乗りかご６内への乗り込みを見送ることができ、それにより、乗りかご６内やエレベータ乗り場３においてペットに出合うことを防止することができる。
【００２５】
なお、第１の実施の形態では、報知部の一例としてペット灯４を例に挙げて説明したが、報知部としてはペット灯４に限定されない。報知部の他の一例として、例えば、音声による報知を行うスピーカを用いることができる。この場合には、乗りかご６内へのペットの乗り込みが受信部２によって検知されると、各階床のエレベータ乗り場３に設けられているスピーカから、「現在、ペットがのっています」等のアナウンスが流され、乗りかご６内にペットが乗っていることが報知される。
【００２６】
（第２の実施の形態）
本発明の第２の実施の形態を図４及び図５に基づいて説明する。なお、第２の実施の形態及びこれ以降の実施の形態において、先行して説明した他の実施の形態において説明した構成要素と同じ構成要素には同じ符号を付し、重複する説明は省略する。
【００２７】
第２の実施の形態のエレベータシステムの基本的構成は、第１の実施の形態のエレベータシステムと同じである。第２の実施の形態と第１の実施の形態との異なる点は、第２の実施の形態には、行先階床情報記憶部１１と報知終了手段とが設けられている点である。
【００２８】
行先階床情報記憶部１１は、ＩＣタグ１から発信されるペット情報を受信部２が受信した後に登録された行先階床を、ペット情報に対応する行先階床情報として記憶する部分である。
【００２９】
報知終了手段は、乗りかご６が行先階床情報記憶部１１に記憶された行先階床情報の行先階床に到着することによりペット灯４を消灯させ、ペット灯４を点灯させることにより行う乗りかご６内へのペットの乗り込みの報知を終了させる。報知終了手段は、エレベータ制御部５において実行される処理の一つであり、この報知終了手段は、エレベータ制御部５のＲＯＭに格納されているプログラムに基づいて実行される。
【００３０】
このような構成において、第２の実施の形態のエレベータシステムにおける制御は、図５のフローチャートに示すように行われる。
【００３１】
まず、ペット用のＩＣタグ１から発信されたペット情報を受信部２が受信したか否かが判断される（Ｓ１）。受信部２がＩＣタグ１から発信されたペット情報を受信した場合は、ＩＣタグ１を付けたペットがエレベータ利用者に同伴されて乗りかご６内に乗り込んだことを意味する。
【００３２】
受信部２がＩＣタグ１から発信されたペット情報を受信した後は、乗りかご６内の行先階床釦８が押されたか否かが判断される（Ｓ２）。行先階床釦８が押されないうちは、受信部２がＩＣタグ１から発信されたペット情報を受信した後に所定時間（例えば、５秒）経過したか否かが判断される（Ｓ３）。
【００３３】
行先階床釦８が押されない状態で所定時間が経過した場合には（Ｓ３のＹＥＳ）、スタートに戻る。ここで、受信部２がＩＣタグ１から発信されたペット信号を受信した後、所定時間が経過しても行先階床釦８が押されない状態の一例としては、ペットを同伴したエレベータ利用者が一旦乗りかご６内に乗り込んだが、行先階床釦８を押す前に乗りかご６から降車した場合が挙げられる。
【００３４】
行先階床釦８が押された場合には（Ｓ２のＹＥＳ）、行先階床釦８を押すことにより登録された行先階床の情報（行先階床情報）が行先階床情報記憶部１１に記憶される（Ｓ４）。ついで、各階床のエレベータ乗り場３に設けられているペット灯４が点灯され（Ｓ５）、ここに、報知手段が実行される。エレベータ乗り場３に設けられているペット灯４が点灯していることを見たエレベータ利用者は、現在走行している乗りかご６内にペットが乗っていることを知ることができる。ペット灯４が点灯された後、乗りかご６は登録された行先階床に向けて走行する（Ｓ６）。
【００３５】
乗りかご６が登録された行先階床に向けて走行を開始した後は、行先階床記憶部１１に行先階床情報として記憶された行先階床に乗りかご６が到着したか否かが判断される（Ｓ７）。
【００３６】
乗りかご６が行先階床に到着した場合には、行先階記憶部１１に記憶されている行先階床情報が消去される（Ｓ８）。ついで、ペット灯４が消灯され（Ｓ９）、ここに、報知終了手段が実行される。ペット灯４が消灯された後、スタートに戻る。エレベータ乗り場３に設けられているペット灯４が消灯していることを見たエレベータ利用者は、現在の乗りかご６内にはペットが乗っていないことを知ることができる。
【００３７】
第２の実施の形態によれば、ペットを同伴したエレベータ利用者が乗った乗りかご６が登録された行先階床に到着した場合、直ちにペット灯４が消灯されるので、ペットを同伴した他のエレベータ利用者や、ペットが嫌いなエレベータ利用者が、必要以上に乗りかご６への乗り込みを待たされるという事態の発生を防止することができる。
【００３８】
（第３の実施の形態）
本発明の第３の実施の形態を図６及び図７に基づいて説明する。第３の実施の形態のエレベータシステムの基本的構成は、第１の実施の形態のエレベータシステムと同じである。第３の実施の形態と第１の実施の形態とは、以下の点で異なる。まず、第３の実施の形態においてペット情報発信部の一例として使用されるＩＣタグ１Ａから発信されるペット情報には、各ペットを特定するためのＩＤ情報が含まれている。また、第３の実施の形態には、ＩＤ情報記憶部２１と第２行先階床情報記憶部２２とが設けられている。さらに、第３の実施の形態には、行先階床情報削除手段と第２報知終了手段とが設けられている。
【００３９】
ＩＤ情報記憶部２１は、ＩＣタグ１Ａから発信されるペット情報を受信部２が受信したとき、そのペット情報に含まれるＩＤ情報を記憶する部分である。
【００４０】
第２行先階床情報記憶部２２は、受信部２がＩＣタグ１Ａから発信されるペット情報を受信した後に登録される行先階床の行先階床情報を、ＩＤ情報と１対１に関連付けて記憶する部分である。例えば、乗りかご６内に２匹のペットが乗り込み、それらのペットが付けているＩＣタグ１Ａから発信されるペット情報に含まれるＩＤ情報がＡ、Ｂであり、それらのペットが乗りかご６内に乗り込んだ後に行先階床釦８を押すことにより登録された行先階床が５階、１０階である場合には、第２行先階床情報記憶部２２には、Ａ−５、Ｂ−１０のようにＩＤ情報と行先階床情報とが１対１に関連付けて記憶される。このように、ＩＤ情報と行先階床情報とが１対１に関連付けて記憶されることにより、乗りかご６内に２匹のペットが乗り込んだ場合にも、全てのペットの行先階床情報を記憶することができる。
【００４１】
行先階床情報削除手段は、乗りかご６が第２行先階床情報記憶部２２に行先階床情報として記憶されている行先階床に到着すると、第２行先階床情報記憶部２２に記憶されている行先階床情報のうちの到着した行先階床の行先階床情報を、関連付けられたＩＤ情報と共に削除する。例えば、第２行先階床情報記憶部２２にＡ−５、Ｂ−１０の2つの情報が記憶されている場合において、乗りかご６が５階に到着した場合にはＡ−５の情報が削除される。
【００４２】
第２報知終了手段は、第２行先階床情報記憶部２２に記憶されている全ての行先階床情報が削除されることにより各階床のペット灯４を消灯させ、ペット灯４を点灯させることにより行う乗りかご６内のペットの存在の報知を終了させる。
【００４３】
これらの行先階床情報削除手段と第２報知終了手段とは、エレベータ制御部５において実行される処理の一つであり、エレベータ制御部５のＲＯＭに格納されているプログラムに基づいて実行される。
【００４４】
このような構成において、第３の実施の形態のエレベータシステムにおける制御は、図７のフローチャートに示すように行われる。
【００４５】
まず、ペット用のＩＣタグ１Ａから発信されるペット情報を受信部２が受信したか否かが判断される（Ｓ１１）。受信部２がＩＣタグ１Ａから発信されるペット情報を受信した場合は、エレベータ利用者に同伴されたＩＣタグ１Ａを付けたペットが乗りかご６内に乗り込んだことを意味する。
【００４６】
受信部２がＩＣタグ１Ａから発信されたペット情報を受信した後は、受信したペット情報に含まれるＩＤ情報がＩＤ情報記憶部２１に記憶され（Ｓ１２）、ついで、乗りかご６内の行先階床釦８が押されたか否かが判断される（Ｓ１３）。行先階床釦８が押されないうちは、受信部２がＩＣタグ１Ａから発信されたペット情報を受信した後に所定時間（例えば、５秒）経過したか否かが判断される（Ｓ１４）。
【００４７】
行先階床釦８が押されない状態で所定時間が経過した場合には（Ｓ１４のＹＥＳ）、ＩＤ情報記憶部２１に記憶されたＩＤ情報が削除され（Ｓ１５）、スタートに戻る。ここで、受信部２がＩＣタグ１Ａから発信されたペット情報を受信した後、所定時間が経過しても行先階床釦８が押されない状態の一例としては、ペットを同伴したエレベータ利用者が一旦乗りかご６内に乗り込んだが、行先階床釦８を押す前に乗りかご６から降車した場合が挙げられる。
【００４８】
行先階床釦８が押された場合には（Ｓ１３のＹＥＳ）、行先階床釦８を押すことにより登録された行先階床の情報（行先階床情報）とＩＤ情報記憶部２１に記憶されているＩＤ情報とが１対１に関連付けて第２行先階床情報記憶部２２に記憶される（Ｓ１６）。なお、ＩＤ情報記憶部２１に記憶されているＩＤ情報が第２行先階床情報記憶部２２に記憶されることに伴い、そのＩＤ情報はＩＤ情報記憶部２１から消去される。
【００４９】
ＩＤ情報と行先階床情報とが１対１に関連付けて第２行先階床情報記憶部２２に記憶された後、各階床のエレベータ乗り場３に設けられているペット灯４が点灯され（Ｓ１７）、ここに、報知手段が実行される。エレベータ乗り場３に設けられているペット灯４が点灯していることを見たエレベータ利用者は、現在走行している乗りかご６内にペットが乗っていることを知ることができる。ペット灯４が点灯された後、乗りかご６は登録された行先階床に向けて走行する（Ｓ１８）。
【００５０】
乗りかご６が登録された行先階床に向けて走行を開始した後は、第２行先階床記憶部１１に行先階床情報として記憶された行先階床に乗りかご６が到着したか否かが判断される（Ｓ１９）。
【００５１】
乗りかご６が行先階床に到着した場合には、第２行先階床情報記憶部２２に記憶されている行先階床情報のうち、到着した行先階床の行先階床情報が関連付けられて対となっているＩＤ情報と共に削除され（Ｓ２０）、ここに、行先階床情報削除手段が実行される。
【００５２】
ステップＳ２０の行先階床情報削除手段が実行された後、第２行先階床情報記憶部２２に他の行先階床情報が残っているか否かが判断され（Ｓ２１）、第２行先階床情報記憶部２２に他の行先階床情報が残っている場合には（Ｓ２１のＹＥＳ）、乗りかご６が残っている行先階床情報の行先階床に向けて再び走行する（Ｓ１８）。
【００５３】
ステップＳ２１の判断において、第２行先階床情報記憶部１２には他の行先階床情報が残っていないと判断された場合には（Ｓ２１のＮＯ）、ペット灯４が消灯され（Ｓ２２）、ここに、第２報知終了手段が実行される。ペット灯４が消灯された後、スタートに戻る。エレベータ乗り場３に設けられているペット灯４が消灯していることを見たエレベータ利用者は、現在の乗りかご６内にはペットが乗っていないことを知ることができる。
【００５４】
第３の実施の形態によれば、乗りかご６内に複数のペットが乗り込んだ場合には、第２行先階床情報記憶部２２に各ペット毎の行先階床情報が記憶されるので、ペット灯４の消灯を全てのペットが乗りかご６から降車した後に行うことができる。これにより、乗りかご６内にペットが乗っているうちにペット灯４を消灯させるという誤制御を防止することができる。
【００５５】
（第４の実施の形態）
本発明の第４の実施の形態を図８及び図９に基づいて説明する。第４の実施の形態のエレベータシステムは、第１の実施の形態のエレベータシステムと同じように、受信部２と、ペット灯４と、エレベータ制御部５とを備えている。さらに、第４の実施の形態は、行先階床自動登録用記憶部３１と自動登録手段とを備えている。
【００５６】
行先階床自動登録用記憶部３１には、各ＩＣタグ１Ａから発信されるペット情報に含まれるＩＤ情報と、そのＩＣタグ１Ａを有するペッドが最も行く頻度の高い行先階床、例えば、居住している階床である自動登録行先階床情報とが１対１に関連付けて記憶されている。例えば、３匹のペットの居住階床がそれぞれ５階、１０階、１５階であるとし、これらの３匹のペットが付けているＩＣタグ１Ａから発信されるペット情報に含まれるＩＤ情報がＡ、Ｂ、Ｃであるとすれば、行先階床自動登録用記憶部３１には、Ａ−５、Ｂ−１０、Ｃ−１５のように、ＩＤ情報と自動登録行先階床情報とが１対１に関連付けて記憶されている。行先階床自動登録用記憶部３１への情報の記憶は、エレベータシステムを管理するサービスマンにより予め行われ、及び、サービスマンにより適宜変更される。
【００５７】
自動登録手段は、ペットを同伴するエレベータ利用者が乗りかご６に乗り込んだ場合、そのエレベータ利用者が乗りかご６内の行先階床釦８を押さなくても、乗りかご６の行先階床を自動的に登録する。具体的には、受信部２がＩＣタグ１Ａから発信されたペット情報を受信することにより、受信部２が受信するペット情報に含まれるＩＤ情報に関連付けて行先階床自動登録用記憶部３１に記憶されている自動登録行先階床情報が呼び出される。そして、その自動登録行先階床情報の行先階床が、乗りかご６の行先階床として自動的に登録される。この自動登録手段は、エレベータ制御部５において実行される処理の一つであり、エレベータ制御部５のＲＯＭに格納されているプログラムに基づいて実行される。
【００５８】
このような構成において、第４の実施の形態のエレベータシステムにおける制御は、図９のフローチャートに示すように行われる。なお、この第４の実施の形態に関して、行先階床自動登録用記憶部３１には、上述したＡ−５、Ｂ−１０、Ｃ−１５のように、ＩＤ情報と自動登録行先階床情報とが１対１に関連付けて予め記憶されている。
【００５９】
まず、ペット用のＩＣタグ１Ａから発信されるペット情報を受信部２が受信したか否かが判断される（Ｓ３１）。受信部２がＩＣタグ１Ａから発信されるペット情報を受信した場合は、ＩＣタグ１Ａを付けたペットがエレベータ利用者に同伴されて乗りかご６内に乗り込んだことを意味する。
【００６０】
受信部２がＩＣタグ１Ａから発信されたペット情報を受信した後は、受信したペット情報に含まれるＩＤ情報に関連付けて行先階床自動登録用記憶部３１に記憶されている自動登録行先階床情報が取得され、取得された自動登録行先階床情報の行先階床が乗りかご６の行先階床として自動的に登録され（Ｓ３２）、ここに、自動登録手段が実行される。
【００６１】
乗りかご６の行先階床が自動的に登録された後は、各階床のエレベータ乗り場３に設けられているペット灯４が点灯され（Ｓ３３）、ここに、報知手段が実行される。エレベータ乗り場３に設けられているペット灯４が点灯していることを見たエレベータ利用者は、現在走行している乗りかご６内にペットが乗っていることを知ることができる。ペット灯４が点灯された後、乗りかご６は登録された行先階床に向けて走行する（Ｓ３４）。
【００６２】
乗りかご６が登録された行先階床に向けて走行を開始した後は、乗りかご６が登録された行先階床に到着したか否かが判断される（Ｓ３５）。
【００６３】
乗りかご６が登録された行先階床に到着した場合には、ペット灯４が消灯され（Ｓ３６）、スタートに戻る。エレベータ乗り場３に設けられているペット灯４が消灯していることを見たエレベータ利用者は、現在の乗りかご６内にはペットが乗っていないことを知ることができる。
【００６４】
第４の実施の形態によれば、ペットを同伴したエレベータ利用者が乗りかご６に乗り込んだ場合、ＩＣタグ１Ａから発信されるペット情報を受信部２が受信することにより、そのペット情報に含まれるＩＤ情報と関連付けて行先階床登録用記憶部３１に記憶されている行先階床情報の行先階床が自動的に登録される。したがって、ペットを同伴して乗りかご６に乗り込んだエレベータ利用者が行先階床釦８を押さなくても、乗りかご６はエレベータ利用者が行きたい行先階床に向けて自動的に走行する。これにより、両手が塞がって行先階床釦８を押すことが困難な状態であっても、行きたい行先階床へスムーズに行くことができる。
【００６５】
（第５の実施の形態）
本発明の第５の実施の形態を図１０に基づいて説明する。第５の実施の形態のエレベータシステムは、第１の実施の形態のエレベータシステムと同じように、受信部２と、エレベータ制御部５とを備えている。さらに、第５の実施の形態は、各階床のエレベータ乗り場３に、報知部の一例としてＬＣＤやＣＲＴなどのディスプレイ装置４１を備えている。また、乗りかご６内には、乗りかご６内を撮影するカメラ４２が設けられ、このカメラ４２は画像制御部４３を介してエレベータ制御部５とディスプレイ装置４１とに接続されている。カメラ４２で撮影された乗りかご６内の映像が、ディスプレイ装置４１に表示される。
【００６６】
このような構成において、エレベータ利用者に同伴されたペットが乗りかご６内に乗り込むと、ペットに付けられたＩＣタグ１から発信されるペット情報が受信部２により受信され、乗りかご６内へのペットの乗り込みが検知される。
【００６７】
乗りかご６内へのペットの乗り込みが検知されると、カメラ４２による乗りかご６内の撮影が開始され、各階床のエレベータ乗り場３に設置されているディスプレイ装置４１にカメラ４２により撮影された画像が表示され、ここに、乗りかご６内へのペットの乗り込みを報知する報知手段が実行される。ディスプレイ装置４１に画像が表示されていることを見たエレベータ利用者は、現在走行している乗りかご６内にペットが乗っていることを知ることができる。
【００６８】
なお、ペットの位置をカメラ４２による撮影アングル内に入れることにより、ペットの画像がディスプレイ装置４１に表示されるので、乗りかご６内に乗っているペットの種類、ペットの大きさをエレベータ利用者に報知することができる。これにより、ディスプレイ装置４１の表示を見たエレベータ利用者は、ペットの種類や大きさを知ることができ、ペットの種類や大きさに応じてペットが乗っている乗りかご６に同乗するか否かを選択することができる。
【００６９】
なお、この第５の実施の形態では、カメラ４２で撮影した乗りかご６内の画像をディスプレイ装置４１に表示する場合を例に挙げて説明したが、ディスプレイ装置４１に文字表示をしてもよい。例えば、乗りかご６内にペットが乗っている場合には、ディスプレイ装置４１に、「現在、ペット運転中です」等のメッセージを文字表示してもよい。
【００７０】
（第６の実施の形態）
本発明の第６の実施の形態を図１１及び図１２に基づいて説明する。第６の実施の形態のエレベータシステムは、第５の実施の形態のエレベータシステムと同じように、受信部２と、エレベータ制御部５と、各階床のエレベータ乗り場３に位置付けられたＬＣＤやＣＲＴなどのディスプレイ装置４１とを備えている。さらに、この第６の実施の形態は、表示情報記憶部５１と表示手段とを備えている。
【００７１】
表示情報記憶部５１は、受信部２が受信するＩＣタグ１Ａから発信されるペット情報に含まれるＩＤ情報と、ディスプレイ装置４１に表示する表示情報とを１対１に関連付けて記憶する部分である。表示情報としては、ペットをデジタルカメラで撮影した画像情報、ペットの名前等を表わした文字情報、ペットをデジタルカメラで撮影した画像にペットの名前等を編集した編集画像情報などが含まれる。
【００７２】
表示手段は、受信部２がＩＣタグ１Ａから発信されるペット情報を受信し、そのペット情報に含まれるＩＤ情報を検知した場合に、検知したＩＤ情報と関連付けて表示情報記憶部５１に記憶されている表示情報を呼び出し、呼び出した表示情報をディスプレイ装置４１に表示する。表示手段は、エレベータ制御部５において実行される処理の一つであり、この表示手段は、エレベータ制御部５のＲＯＭに格納されているプログラムに基づいて実行される。
【００７３】
このような構成において、第６の実施の形態のエレベータシステムにおける制御は、図１２のフローチャートに示すように行われる。なお、この第６の実施の形態に関して、表示情報記憶部５１には、ＩＣタグ１Ａから送信されたペット情報に含まれるＩＤ情報とディスプレイ装置４１に表示する表示情報とが、１対１に関連付けて予め記憶されている。
【００７４】
まず、ペット用のＩＣタグ１Ａから発信されるペット情報を受信部２が受信したか否かが判断される（Ｓ４１）。受信部２がＩＣタグ１Ａから発信されたペット情報を受信した場合は、ＩＣタグ１Ａを付けたペットがエレベータ利用者に同伴されて乗りかご６内に乗り込んだことを意味する。
【００７５】
受信部２がＩＣタグ１Ａから発信されたペット情報を受信した後は、受信したペット情報に含まれるＩＤ情報と関連付けられた表示情報が表示情報記憶部５１から呼び出して取得され、エレベータ制御部５のＲＡＭ内に格納される（Ｓ４２）。
【００７６】
ついで、乗りかご６内の行先階床釦８が押されたか否かが判断される（Ｓ４２）。行先階床釦８が押されないうちは、受信部２がＩＣタグ１から発信されたペット情報を受信した後に所定時間（例えば、５秒）経過したか否かが判断される（Ｓ４４）。
【００７７】
行先階床釦８が押されない状態で所定時間が経過した場合には（Ｓ４４のＹＥＳ）、取得された表示情報が削除され（Ｓ４５）、スタートに戻る。ここで、受信部２がＩＣタグ１Ａから発信されたペット情報を受信した後、所定時間が経過しても行先階床釦８が押されない状態の一例としては、ペットを同伴したエレベータ利用者が一旦乗りかご６内に乗り込んだが、行先階床釦８を押す前に乗りかご６から降車した場合が挙げられる。
【００７８】
行先階床釦８が押された場合には（Ｓ４３のＹＥＳ）、取得した表示情報がディスプレイ装置４１に表示され（Ｓ４６）、ここに、表示手段が実行される。エレベータ乗り場３に設けられているディスプレイ装置４１に表示情報が表示されていることを見たエレベータ利用者は、現在走行している乗りかご６内にペットが乗っていることを知ることができる。さらに、表示された表示情報の範囲内でどのようなペットが乗っているのかを知ることができる。
【００７９】
表示情報が表示された後、乗りかご６は登録された行先階床に向けて走行する（Ｓ４７）。
【００８０】
乗りかご６が登録された行先階床に向けて走行を開始した後は、乗りかご６が登録された行先階床に到着したか否かが判断される（Ｓ４８）。
【００８１】
乗りかご６が登録された行先階床に到着した場合には、ディスプレイ装置４１の表示が終了され（Ｓ４９）、取得された表示情報が削除され（Ｓ４５）、スタートに戻る。
【００８２】
この第６の実施の形態によれば、ディスプレイ装置４１の表示を見ることによりどのようなペットが乗りかご６内に乗っているかを知ることができ、エレベータ利用者は乗りかご６内に乗り込んでもよいか、乗り込みを見送るべきかを適宜判断することができ、乗りかご６への乗り込みを見送ることよる不必要な時間の無駄を防止することができる。
【００８３】
（第７の実施の形態）
本発明の第７の実施の形態を図１３及び図１４に基づいて説明する。第７の実施の形態のエレベータシステムは、第５の実施の形態のエレベータシステムと同じように、受信部２と、エレベータ制御部５と、各階床のエレベータ乗り場３に位置付けられたＬＣＤやＣＲＴなどのディスプレイ装置４１とを備えている。なお、この第７の実施の形態における受信部２は、各階床のエレベータ乗り場３に設けられている。さらに、この第７の実施の形態は、相関関係用記憶部６１と、相関関係取得手段と、第２表示手段とを備えている。
【００８４】
相関関係用記憶部６１は、各ペット毎に、そのペットのＩＤ情報と、そのペットの相関関係用情報とを関連付けて記憶する部分である。記憶されている相関関係用情報としては、例えば、ペットの種類（犬、猫等）、ペットの大きさ（大型犬、小型犬等）、他のペットとの関係（ＩＤ情報○×のペットとは不仲等）である。
【００８５】
相関関係取得手段は、エレベータ制御部５において実行される処理の一つであり、この相関関係取得手段は、エレベータ制御部５のＲＯＭに格納されているプログラムに基づいて実行される。相関関係取得手段は、或るペットが既に乗りかご６内に乗り込んでいる状態において、ある階床のエレベータ乗り場３の受信部２で他のペットのＩＣタグ１Ａから発信されたペット情報が受信された場合、乗りかご６に既に乗り込んでいるペットのＩＤ情報と、エレベータ乗り場３で検知されたペッドのＩＤ情報とに基づき、相関関係用記憶部６１に記憶されている相関関係用情報の中から２匹のペットの相関関係が取得される。相関関係取得手段により取得される相関関係の例としては、「２匹のペットは犬と猫であるので、乗り合わせないほうがよい。」、「２匹のペットは共に小型犬であって不仲ではないので、乗り合わせてもよい。」等である。
【００８６】
第２表示手段は、エレベータ制御部５において実行される処理の一つであり、この第２表示手段は、エレベータ制御部５のＲＯＭに格納されているプログラムに基づいて実行される。第２表示手段は、相関関係取得手段により取得された相関関係に対応する内容をディスプレイ装置４１に表示する。第２表示手段によりディスプレイ装置４１に表示される内容としては、例えば、「犬が乗っていますので、お待ち下さい。」、「小型犬が乗っていますが、同乗してもかまいません。」等である。
【００８７】
相関関係取得手段により取得された相関関係の内容を表示するディスプレイ装置４１は、乗りかご６内に乗り込もうとするペットが検知されたエレベータ乗り場３に設けられているディスプレイ装置４１のみでよく、他の階床のエレベータ乗り場３に設けられているディスプレイ装置４１には、乗りかご６内にペットが乗っていることを表示するだけでよい。
【００８８】
このような構成において、第７の実施の形態のエレベータシステムにおける制御は、図１４のフローチャートに示すように行われる。なお、この図１４のフローチャートの説明では、スタート時点でＩＣタグ１Ａを付けたペットが既に乗りかご６に乗り込んでものとする。そして、各階床のディスプレイ装置４１には、乗りかご６内にペットが乗っていることが表示されているものとする。
【００８９】
まず、ペット用のＩＣタグ１Ａから発信されるペット情報を受信部２が受信したか否かが判断される（Ｓ５１）。受信部２がＩＣタグ１Ａから発信されるペット情報を受信した場合は、既に乗りかご６内に乗っているペットのＩＤ情報に関連付けて相関関係用記憶部６１に記憶されている相関関係用情報と、エレベータ乗り場３に来たペットのＩＤ情報に関連付けて相関関係用記憶部６１に記憶されている相関関係用情報とから、2匹のペット間の相関関係が取得され（Ｓ５２）、ここに、相関関係取得手段が実行される。
【００９０】
取得された２匹のペット間の相関関係は、ペットが検知された階床のエレベータ乗り場３にあるディスプレイ装置４１に表示される（Ｓ５３）。
【００９１】
取得された相関関係がディスプレイ装置４１に表示された後は、相関関係が表示されたディスプレイ装置４１が設置されている階床を乗りかご６が通過したか否かが判断され（Ｓ５４）、通過した場合には相関関係の表示が終了し（Ｓ５５）、スタートに戻る。
【００９２】
この第７の実施の形態によれば、ディスプレイ装置４１に表示された相関関係を見ることにより、乗りかご６内に乗り込んでよいのか乗り込みを見送るべきかを容易に判断することができ、不必要に乗りかご６への乗り込みを見送ることよる時間の無駄を防止することができ、又は、乗りかご６内やエレベータ乗り場３で鉢合わせしたペット同士が騒ぎを起こすということを防止できる。
【００９３】
なお、本発明は、前述の実施の形態に限定されるものではなく、その要旨を逸脱しない範囲において、種々変更可能であることは勿論である。
【図面の簡単な説明】
【００９４】
【図１】本発明の第１の実施の形態に係るエレベータシステムの構成を示すブロック図である。
【図２】図１に示すエレベータシステムを構成するエレベータの乗りかごの内部を示す正面図である。
【図３】図１に示すエレベータシステムのエレベータ乗り場を示す正面図である。
【図４】本発明の第２の実施の形態に係るエレベータシステムの構成を示すブロック図である。
【図５】図２に示すエレベータシステムの制御内容を示すフローチャートである。
【図６】本発明の第３の実施の形態に係るエレベータシステムの構成を示すブロック図である。
【図７】図６に示すエレベータシステムの制御内容を示すフローチャートである。
【図８】本発明の第４の実施の形態に係るエレベータシステムの構成を示すブロック図である。
【図９】図８に示すエレベータシステムの制御内容を示すフローチャートである。
【図１０】本発明の第５の実施の形態に係るエレベータシステムの構成を示すブロックである。
【図１１】本発明の第６の実施の形態に係るエレベータシステムの構成を示すブロック図である。
【図１２】図１１に示すエレベータシステムの制御内容を示すフローチャートである。
【図１３】本発明の第７の実施の形態に係るエレベータシステムの構成を示すブロック図である。
【図１４】図１３に示すエレベータシステムの制御内容を示すフローチャートである。
【符号の説明】
【００９５】
１、１Ａ    ＩＣタグ（ペット情報発信部）
２      受信部
３      エレベータ乗り場
４      ペット灯（報知部）
６      乗りかご
１１      行先階床情報記憶部
２１      ＩＤ情報記憶部
２２      第２行先階床記憶部
３１      行先階床登録用記憶部
４１      ディスプレイ装置（報知部）
５１      表示情報記憶部
６１      相関関係用記憶部
【図１】
2006264926.tif 000003
【図２】
2006264926.tif 000004
【図３】
2006264926.tif 000005
【図４】
2006264926.tif 000006
【図５】
2006264926.tif 000007
【図６】
2006264926.tif 000008
【図７】
2006264926.tif 000009
【図８】
2006264926.tif 000010
【図９】
2006264926.tif 000011
【図１０】
2006264926.tif 000012
【図１１】
2006264926.tif 000013
【図１２】
2006264926.tif 000014
【図１３】
2006264926.tif 000015
【図１４】
2006264926.tif 000016